(57)【要約】      （修正有）【課題】４相の固定子上に移動子が配置された静電アクチュエータにおいて、摩擦抵抗を軽減した駆動方法を提供する。【解決手段】図（Ａ）で固定子１の電極（左側から４つずつの電極）に図の駆動パターン（＋、＋、−、−）を印加すると、移動子９の抵抗体層に固定子と逆極性の電荷が充電される。次に図（Ｂ）のように固定子１の電極に駆動パターン（−、０、＋、０）を印加すると移動子９に固定子１から離れようとする上向きクーロン力が働き摩擦抵抗が軽減される。図（Ｂ）で固定子１と移動子９とのクーロン力の釣り合いが崩れることにより右方向への駆動力が発生し図（Ｃ）のように移動子９が右方向に１．５ピッチ移動しようとする。次に図（Ｄ）に示すように固定子１の電極に図（Ａ）のパターンから右方向に１ピッチずらしたパターン（−、＋、＋、−）を印加すると移動子９が左方向に０．５ピッチ戻す力が働き図（Ｅ）に示す位置に移動し再充電される。【選択図】図２
2007104774.tif 000002
【特許請求の範囲】
【請求項１】
４相の駆動信号が供給される４つの電極群を有する固定子に、抵抗体層を有する移動子が移動可能に配置された静電アクチュエータの駆動方法であって、
前記固定子の電極に、第１の駆動パターンからなる駆動信号を印加し、その駆動パターンに応じた逆極性の電荷を前記移動子の抵抗体層に充電する充電ステップと、前記充電ステップ後に、前記固定子の電極に、前記第１の駆動パターンの整数電極分位相をずらしたものとは重ならない第２の駆動パターンからなる駆動信号を印加し、移動子を移動させる電圧切り替え移動ステップと、を含み、
前記電圧切り替え移動ステップでは、前記移動子と前記固定子との間に、垂直方向にクーロン反発力が発生し、このクーロン反発力により前記移動子に前記固定子から離れようとする力が働くことを特徴とする静電アクチュエータの駆動方法。
【請求項２】
請求項１に記載の発明において、前記固定子の電極に印加される第１の駆動パターン、または、第２の駆動パターンには、正電圧、負電圧、および、接地電位である０Ｖを含むことを特徴とする静電アクチュエータの駆動方法。
【請求項３】
請求項１に記載の発明において、前記第１の駆動パターンと前記第２の駆動パターンのうち一方の駆動パターンは、正電圧の連続する組と負電圧の連続する組の２値からなる駆動パターンであるとともに、他方の駆動パターンは、正電圧と負電圧の間に接地電位である０Ｖを挟む３値からなる駆動パターンであり、前記電圧切り替え移動ステップでは、前記移動子と前記固定子との間のクーロン力により、前記移動子が前記固定子上を１．５ピッチ移動しようとする力が働くことを特徴とする静電アクチュエータの駆動方法。
【請求項４】
請求項１に記載の発明において、前記電圧切り替え移動ステップの後に、前記固定子の電極に、前記第１の駆動パターンの整数電極分位相をずらした駆動パターンを印加し、その駆動パターンに応じた逆極性の電荷を前記移動子の抵抗体層に再充電する電圧切り替え再充電ステップを含むことを特徴とする静電アクチュエータの駆動方法。
【請求項５】
請求項４に記載の発明において、前記電圧切り替え再充電ステップで、前記固定子の電極に、前記移動子が移動する向きに前記第１の駆動パターンの１電極分位相をずらした駆動パターンを印加し、前記移動子と前記固定子との間のクーロン力により、前記移動子が０．５ピッチ戻るような力が働くことを特徴とする静電アクチュエータの駆動方法。
【請求項６】
請求項４に記載の発明において、前記電圧切り替え再充電ステップで、前記固定子の電極に、前記移動子が移動する向きに前記第１の駆動パターンの２電極分位相をずらした駆動パターンを印加し、前記移動子と前記固定子との間のクーロン力により、前記移動子が０．５ピッチ進むような力が働くことを特徴とする静電アクチュエータの駆動方法。
【請求項７】
請求項１に記載の発明において、前記電圧切り替え移動ステップ後に、前記固定子の電極に、全ての電圧が接地電圧である０Ｖのリセット駆動パターンを印加するリセット電圧印加ステップを含むことを特徴とする静電アクチュエータの駆動方法。
【発明の詳細な説明】
【技術分野】
【０００１】
この発明は静電アクチュエータの駆動方法に関する。
【背景技術】
【０００２】
従来の静電アクチュエータには、４相に配線された多数の電極を有する固定子上に強誘電体層を有する移動子が移動可能に配置されたものがある（例えば、特許文献１参照）。この場合、移動子の強誘電体層には、固定子の電極に対応して、所定の極性パターンを有する残留電気分極による正負の電荷領域が形成されている。
【０００３】
【特許文献１】特開平０７−１４７７８６号公報
【０００４】
上記従来の静電アクチュエータでは、初期位置設定後において、固定子の電極に移動用の正負の電圧が印加されると、固定子と移動子との移動方向（横方向）の電荷の釣り合いが崩れることにより発生するクーロン力により、移動子が固定子上を所定の方向に１ピッチ（固定子の１電極分）移動する。
【発明の開示】
【発明が解決しようとする課題】
【０００５】
ところで、移動子の強誘電体層の電荷領域の電荷とその真下の固定子の電極の電荷とが同符号となると、その間にクーロン反発力が発生し、このクーロン反発力により移動子が前記固定子から離れようとする力が働く。逆に、移動子の強誘電体層の電荷領域の電荷とその真下の固定子の電極の電荷とが異符号となると、その間にクーロン吸引力が発生し、このクーロン吸引力により移動子が固定子に吸引されようとする力が働く。上記従来の静電アクチュエータでは、移動のステップで、移動子の強誘電体層の電荷領域の電荷とその真下の固定子の電極の電荷とが同符号となる部分だけではなく、異符号となる部分が現れ、クーロン引力も発生するため、同符号となる部分によるクーロン反発力が相殺され、移動子と固定子との間の摩擦抵抗が大きくなってしまうという問題があった。
【０００６】
そこで、この発明は、移動子と固定子との間の摩擦抵抗を軽減することができる静電アクチュエータの駆動方法を提供することを目的とする。
【課題を解決するための手段】
【０００７】
この発明は、上記目的を達成するため、４相の駆動信号が供給される４つの電極群を有する固定子に、抵抗体層を有する移動子が移動可能に配置された静電アクチュエータの駆動方法であって、前記固定子の電極に、第１の駆動パターンからなる駆動信号を印加し、その駆動パターンに応じた逆極性の電荷を前記移動子の抵抗体層に充電する充電ステップと、前記充電ステップ後に、前記固定子の電極に、前記第１の駆動パターンの整数電極分位相をずらしたものとは重ならない第２の駆動パターンからなる駆動信号を印加し、移動子を移動させる電圧切り替え移動ステップと、を含み、前記電圧切り替え移動ステップでは、前記移動子と前記固定子との間に、垂直方向にクーロン反発力が発生し、このクーロン反発力により前記移動子に前記固定子から離れようとする力が働くことを特徴とする。
【発明の効果】
【０００８】
この発明によれば、充電ステップの後の電圧切り替え移動ステップにおいて、移動子と固定子との間に発生する横方向の移動駆動力以外に垂直方向のクーロン反発力により、移動子に固定子から離れようとする力が働くので、移動子と固定子との間の摩擦抵抗を軽減した駆動方法を提供することができる。
【発明を実施するための最良の形態】
【０００９】
図１はこの発明の一実施形態としての静電アクチュエータの概略構成図を示す。この静電アクチュエータは固定子１を備えている。固定子１は、ポリエチレンナフタレート、ポリエチレンテレフタレート、ポリイミド等からなるベースフィルム２の上面にアルミニウム系金属等からなる帯状の多数の電極３が一定のピッチで互いに平行に設けられ、その上にポリイミド等からなる保護膜４が設けられた構造となっている。ここでは、わかりやすいように電極が直線方向に設けられている形態で説明するが、電極が円形状に配置されている形態であってもかまわない。（また、電極を保護する保護膜４を設けない構成としてもよい。）
【００１０】
多数の電極３は４相に配線されている。すなわち、図左から第１、第５、第９……の電極３は第１の接続端子５に接続されている。第２、第６、第１０……の電極３は第２の接続端子６に接続されている。第３、第７、第１１……の電極３は第３の接続端子７に接続されている。第４、第８、第１２……の電極３は第４の接続端子８に接続されている。
【００１１】
固定子１上には移動子９が移動可能に配置されている。移動子９は、ポリエチレンナフタレート、ポリエチレンテレフタレート、ポリイミド等からなるベースフィルム１０の上面にカーボン等からなる抵抗体層１１が設けられた構造となっている。そして、固定子１の電極３に正電圧または負電圧が印加されると、抵抗体層１１のうち、当該電極３と対向する領域に当該電極３の電荷と逆極性の電荷が充電（誘導）されるようになっている。
【００１２】
ここで、第１〜第４の接続端子５〜８への印加される駆動信号が例えば負電圧、０Ｖ（接地電位）、正電圧、０Ｖ（接地電位）の４相の駆動パターンである場合には、以下の説明において、固定子１の電極に駆動パターン（−、０、＋、０）を印加するという。また、その電圧印加状態は、図２（Ｂ）の下図のように示すこととする。ここで、図２（Ｂ）の下図に示す固定子１においては、実線で区切られた各枡目は各電極３に対応するものである（以下同じ）。なお、図２以降では固定子側１２極分、移動子側８極分のみを示す。
【００１３】
また、「移動子９の抵抗体層１１の電極３と対向する領域に当該電極３の電荷と逆極性の電荷が充電され」は、以下の説明において、「移動子９の抵抗体層に電極の電荷と逆極性の電荷が充電され」という。また、その電荷充電状態は、例えば、図２（Ａ）の上図のように示すこととする。ここで、図２（Ａ）の上図に示す移動子９においては、点線で区切られた各枡目は各電極３に対応する領域である（以下同じ）。
【００１４】
（駆動方法の第１の例）
次に、この静電アクチュエータの駆動方法の第１の例について説明する。まず、図２（Ａ）の下図に示すように、固定子１の電極（左側から４つずつの電極、以下同じ）に第１の駆動パターン（＋、＋、−、−）を印加すると、移動子９の抵抗体層に電極の電荷と逆極性の電荷が充電される。このステップを（第１の）充電ステップと呼ぶことにする。
【００１５】
次に、図２（Ｂ）の下図に示すように、固定子１の電極に印加する駆動パターンを第２の駆動パターン（−、０、＋、０）に切り替えると、電極の電荷は瞬時に入れ替わるが、移動子側の電荷配置が新たな平衡状態に変化するには、ある程度の時間を要するので、切り替え直後は移動子側の電荷は保持されており、図２（Ｂ）の上図のような電荷配置となっている。このとき、移動子９の抵抗体層の隣接する同符号の２つの電荷領域のうちの左側の電荷領域の電荷とその真下の固定子１の電極の電荷とが同符号となり、その間にクーロン反発力が発生し、このクーロン反発力により、垂直上向き矢印で示すように、移動子９に固定子１から離れようとする力が働く。ここで、第２の駆動パターンは第１の駆動パターンの電極ピッチの整数倍分位相をずらしたものとは重ならない異なる駆動パターンである。
【００１６】
この場合、移動子９の抵抗体層の隣接する同符号の２つの電荷領域のうちの右側の電荷領域の真下の固定子１の電極の電荷は０Ｖであるので、この間にクーロン力は発生しない。したがって、移動子９と固定子１との間には、垂直方向には、垂直上向き矢印で示すように、クーロン反発力により移動子９に固定子１から離れようとする力が働き、移動子９と固定子１との間の摩擦抵抗を軽減することができる。
【００１７】
そして、図２（Ｂ）においては、斜め方向の力ベクトルで表したように、固定子１と移動子９との横方向のクーロン引力およびクーロン反発力の釣り合いが崩れることにより、右方向への移動駆動力が発生し、この段階で、図２（Ｃ）に示すように、移動子９が固定子１上を右方向に１．５ピッチ（固定子１の１．５電極分）移動しようとする。
【００１８】
すなわち、図２（Ｂ）においては、移動子９の抵抗体層の隣接する同符号の２つの電荷領域のうちの右側の電荷領域は、その真下の固定子１の０Ｖの電極の両側の電極のうちの左側の同符号の電荷の電極側からクーロン反発力により反発され、右側の異符号の電荷の電極側にはクーロン引力により吸引され、移動子９が右方向に移動駆動力を受け、図２（Ｃ）に示すように、移動子９は、その抵抗体層の隣接する同符号の２つの電荷領域の境界部（中心部）が固定子１の異符号の電荷の電極と対向する位置つまり右方向に１．５ピッチ移動した位置まで移動しようとする。このステップを（第１の）電圧切り替え移動ステップと呼ぶこととする。
【００１９】
次に、移動中に移動子の電荷は一部失われるので、クーロン力（移動駆動力）が減少する。そこで、この力を維持して連続して駆動するために、図２（Ｄ）の下図に示すように、固定子１の電極に図２（Ａ）の下図の第１の駆動パターンから右方向に１ピッチ（１電極分）ずらした駆動パターン（−、＋、＋、−）を印加する。すると、図２（Ｄ）の上図に示すように、固定子１と移動子９との横方向のクーロン引力およびクーロン反発力の釣り合いが崩れることにより、図２（Ｅ）に示すように、移動子９が固定子１上を左方向に０．５ピッチ戻ろうとする力が働く。この過程を（第１の）０．５ピッチ戻り過程と呼ぶことにする。
【００２０】
すなわち、図２（Ｄ）においては、移動子９の抵抗体層の隣接する同符号の２つの電荷領域のうちの右側の電荷領域は、その左下の固定子１の異符号の電荷の電極側にクーロン引力により吸引され、その右下の固定子１の同符号の電荷の電極側からクーロン反発力により反発され、移動子９が左方向に戻ろうとする力が働き、移動子９は、その抵抗体層の電荷領域が固定子１の異符号の電荷の電極と対向する位置つまり左方向に０．５ピッチ戻った位置で停止し、再充電される。このステップを第１の電圧切り替え再充電ステップと呼ぶことにする。実際には、上記第１の電圧切り替え移動ステップと第１の電圧切り替え再充電ステップを適切な時間間隔で切り替えることにより、第１の０．５ピッチ戻り過程は観測されず、移動子のスムーズな移動が実現され、図２（Ｂ）から移動子９は、右方向に１ピッチ進んだ位置の図２（Ｅ）の状態で停止し、再充電される。
【００２１】
この状態では、移動子９は、図２（Ａ）に示す初期状態から、右方向に１ピッチ移動したことになる。また、この状態は、そのまま第２の充電ステップとなり、移動子９の抵抗体層の同一領域に電極の電荷と逆極性の電荷が再充電される。以下、上記と同様のステップが繰り返されるが、第４の電圧切り替え再充電ステップまで簡単に説明する。
【００２２】
次に、図３（Ａ）の下図に示すように、固定子１の電極に図２（Ｂ）の下図の第２の駆動パターンから右方向に１ピッチ（１電極分）ずらした駆動パターン（０、−、０、＋）を印加すると、垂直上向き矢印で示すように、クーロン反発力により移動子９に固定子１から離れようとする力と、右方向への移動駆動力が働く。そして、図３（Ｂ）に示すように、移動子９が固定子１上を右方向に１．５ピッチ移動しようとする（第２の電圧切り替え移動ステップ）。
【００２３】
次に、図３（Ｃ）の下図に示すように、固定子１の電極に図２（Ｅ）の下図から右方向に１ピッチ（１電極分）ずらした駆動パターン（つまり、図２（Ａ）の下図の第１の駆動パターンから右方向に２ピッチ（２電極分）ずらした駆動パターン）（−、−、＋、＋）を印加すると、移動子９が固定子１上を左方向に０．５ピッチ戻ろうとする力が働き（第２の０．５ピッチ戻り過程）、図３（Ｄ）に示す位置で停止し、再充電される。（第２の電圧切り替え再充電ステップ）。実際は、上記第２の電圧切り替え移動ステップと第２の電圧切り替え再充電ステップを適切な時間間隔で切り替えることにより、第２の０．５ピッチ戻り過程は観測されず、移動子のスムーズな移動が実現され、図３（Ａ）から移動子９は、右方向に１ピッチ進んだ位置の図３（Ｄ）で停止し、再充電される（以下同じ）。
【００２４】
この状態では、移動子９は、図２（Ａ）に示す初期状態から、右方向に２ピッチ移動したことになる。また、この状態は、そのまま第３の充電ステップとなり、移動子９の抵抗体層の同一領域に電極の電荷と逆極性の電荷が再充電される。
【００２５】
次に、図３（Ｅ）の下図に示すように、固定子１の電極に図３（Ｂ）の下図から右方向に１ピッチ（１電極分）ずらした駆動パターン（つまり、図２（Ｂ）の下図の第２の駆動パターンから右方向に２ピッチ（２電極分）ずらした駆動パターン）（＋、０、−、０）を印加すると、垂直上向き矢印で示すように、クーロン反発力により移動子９に固定子１から離れようとする力と、右方向への移動駆動力が働く。そして、図４（Ａ）に示すように、移動子９が固定子１上を右方向に１．５ピッチ移動しようとする（第３の電圧切り替え移動ステップ）。
【００２６】
次に、図４（Ｂ）の下図に示すように、固定子１の電極に図３（Ｄ）の下図の第１の駆動パターンから右方向に１ピッチ（１電極分）ずらした駆動パターン（つまり、図２（Ａ）の下図の第１の駆動パターンから右方向に３ピッチ（３電極分）ずらした駆動パターン）（＋、−、−、＋）を印加すると、移動子９が固定子１上を左方向に０．５ピッチ戻ろうとする力が働き（第３の０．５ピッチ戻り過程）、図４（Ｃ）に示す位置で停止し、再充電される（第３の電圧切り替え再充電ステップ）。
【００２７】
この状態では、移動子９は、図２（Ａ）に示す初期状態から、右方向に３ピッチ移動したことになる。また、この状態は、そのまま第４の充電ステップとなり、移動子９の抵抗体層の同一領域に電極の電荷と逆極性の電荷が再充電される。
【００２８】
次に、図４（Ｄ）の下図に示すように、固定子１の電極に図４（Ａ）の下図から右方向に１ピッチ（１電極分）ずらした駆動パターン（つまり、図２（Ｂ）の下図の第２の駆動パターンから右方向に３ピッチ（３電極分）ずらした駆動パターン）（０、＋、０、−）を印加すると、垂直上向き矢印で示すように、クーロン反発力により移動子９に固定子１から離れようとする力と、右方向への移動駆動力が働く。そして、図４（Ｅ）に示すように、移動子９が固定子１上を右方向に１．５ピッチ移動しようとする（第４の電圧切り替え移動ステップ）。
【００２９】
次に、図５（Ａ）の下図に示すように、固定子１の電極に図４（Ｃ）の下図の第１の駆動パターンから右方向に１ピッチ（１電極分）ずらした駆動パターン（つまり、図２（Ａ）の下図の第１の駆動パターンから右方向に４ピッチ（４電極分）ずらした駆動パターン）（＋、＋、−、−）を印加すると、移動子９が固定子１上を左方向に０．５ピッチ戻ろうとする力が働き（第４の０．５ピッチ戻り過程）、図５（Ｂ）に示す位置で停止し、再充電される（第４の電圧切り替え再充電ステップ）。
【００３０】
この状態では、移動子９は、図２（Ａ）に示す初期状態から、右方向に４ピッチ移動したことになる。ここで、図５（Ｂ）に示す状態では、固定子１の電極に図２（Ａ）の下図の第１の駆動パターン（＋、＋、−、−）が印加されており、これは図２（Ａ）に示す初期状態の場合と同様である。したがって、固定子１の電極への印加電圧のサイクルはこれで一巡したことになる。
【００３１】
（駆動方法の第２の例）
次に、この静電アクチュエータの駆動方法の第２の例について簡単に説明する。ここで、駆動方法の第１の例と異なる点は、図２（Ａ）の下図の第１の駆動パターンと図２（Ｂ）の下図の第２の駆動パターンを入れ替えている点である。まず、図６（Ａ）の下図に示すように、固定子１の電極に第１の駆動パターン（−、０、＋、０）を印加すると、移動子９の抵抗体層に電極の電荷と逆極性の電荷が充電される（第１の充電ステップ）。この場合、移動子９の抵抗体層の固定子１の０Ｖの電極に対応する領域は、正負いずれの電荷も充電されない。
【００３２】
次に、図６（Ｂ）の下図に示すように、固定子１の電極に印加する駆動パターンを第２の駆動パターン（＋、−、−、＋）に切り替えると、垂直上向き矢印で示すように、クーロン反発力により移動子９に固定子１から離れようとする力と、右方向への移動駆動力が働く。そして、図６（Ｃ）に示すように、移動子９が固定子１上を右方向に１．５ピッチ移動しようとする（第１の電圧切り替え移動ステップ）。
【００３３】
この場合、図６（Ｂ）においては、移動子９の抵抗体層の電荷領域の一部は電荷が充電されないので、その真下の固定子１の電極の電荷が正負のいずれであっても、その間にクーロン力は発生しない。したがって、この場合も、移動子９と固定子１との間には、垂直方向には、垂直上向き矢印で示すように、クーロン反発力により移動子９に固定子１から離れようとする力が働き、移動子９と固定子１との間の摩擦抵抗を軽減することができる。
【００３４】
次に、移動中に移動子の電荷は一部失われるので、クーロン力（移動駆動力）が減少する。そこで、この力を維持して連続して駆動するために、図６（Ｄ）の下図に示すように、固定子１の電極に図６（Ａ）の下図から右方向に１ピッチ（１電極分）ずらした駆動パターン（０、−、０、＋）を印加する。すると、図６（Ｅ）に示すように、移動子９が固定子１上を左方向に０．５ピッチ戻ろうとする力が働き（第１の０．５ピッチ戻り過程）、図６（Ｅ）に示す位置で停止し、再充電される。（第１の電圧切り替え再充電ステップ）。
【００３５】
この状態では、移動子９は、図６（Ａ）に示す初期状態から、右方向に１ピッチ移動したことになる。また、この状態は、そのまま次の充電ステップとなり、移動子９の抵抗体層の同一領域に電極の電荷と逆極性の電荷が再充電される。以下のステップの説明は省略する。
【００３６】
（駆動方法の第３の例）
次に、この静電アクチュエータの駆動方法の第３の例について簡単に説明する。ここで、駆動方法の第１の例と異なる点は、上記０．５ピッチ戻り過程が後述の０．５ピッチ進み過程となる点である。まず、図２（Ｃ）に示すように、移動子９が固定子１上を右方向に１．５ピッチ移動しようとした状態とする。移動中に移動子の電荷は一部失われるので、クーロン力（移動駆動力）が減少する。そこで、この力を維持して連続して駆動するために、図７（Ａ）の下図に示すように、固定子１の電極に図２（Ａ）の下図の第１の駆動パターンから右方向に２ピッチ（２電極分）ずらした駆動パターン（−、−、＋、＋）を印加する。すると、図７（Ｂ）に示すように、移動子９が固定子１上を右方向に０．５ピッチ進もうとする力が働く。この過程を（第１の）０．５ピッチ進み過程と呼ぶことにする。実際には、移動子のスムーズな移動が実現され、図２（Ｂ）から移動子９は、右方向に２ピッチ進んだ位置の図７（Ｂ）の状態で停止し、再充電される（第１の電圧切り替え再充電ステップ）。
【００３７】
この状態では、移動子９は、図２（Ａ）に示す初期状態から、右方向に２ピッチ移動したことになる。また、この状態は、そのまま次の充電ステップとなり、移動子９の抵抗体層の同一領域に電極の電荷と逆極性の電荷が再充電される。以下のステップの説明は省略する。
【００３８】
このような駆動によれば、駆動方法の第１の例、駆動方法の第２の例よりも、高速な移動を実現することができる。実際には、上記電圧切り替え移動ステップと電圧切り替え再充電ステップを適切な時間間隔で切り替え、移動子のスムーズな移動が実現されるようにする。上記駆動方法の第３の例が実現できるかは、固定子と移動子との間の充電条件や摩擦条件等により変わる。
【００３９】
（駆動方法の第４の例）
次に、この静電アクチュエータの駆動方法の第４の例について簡単に説明する。ここで、駆動方法の第１の例と異なる点は、図２（Ａ）の下図の第１の駆動パターンと図２（Ｂ）の下図の第２の駆動パターンを入れ替え、且つ、０．５ピッチ戻り過程が０．５ピッチ進み過程となる点である。まず、図６（Ｃ）に示すように、移動子９が固定子１上を右方向に１．５ピッチ移動しようとした状態とする。移動中に移動子の電荷は一部失われるので、クーロン力（移動駆動力）が減少する。そこで、この力を維持して連続して駆動するために、図８（Ａ）の下図に示すように、固定子１の電極に図６（Ａ）の下図の第１の駆動パターンから右方向に２ピッチ（２電極分）ずらした駆動パターン（＋、０、−、０）を印加する。すると、図８（Ｂ）に示すように、移動子９が固定子１上を右方向に０．５ピッチ進もうとする力が働き（第１の０．５ピッチ進み過程）、図８（Ｂ）に示す位置で停止し、再充電される。（第１の電圧切り替え再充電ステップ）。
【００４０】
この状態では、移動子９は、図６（Ａ）に示す初期状態から、右方向に２ピッチ移動したことになる。また、この状態は、そのまま次の充電ステップとなり、移動子９の抵抗体層の同一領域に電極の電荷と逆極性の電荷が再充電される。以下のステップの説明は省略する。
【００４１】
このような駆動によれば、駆動方法の第３の例と同様に、駆動方法の第１の例、駆動方法の第２の例よりも、高速な移動を実現することができる。実際には、上記電圧切り替え移動ステップと電圧切り替え再充電ステップを適切な時間間隔で切り替え、移動子のスムーズな移動が実現されるようにする。上記駆動方法の第４の例が実現できるかは、固定子と移動子との間の充電条件や摩擦条件等により変わる。
【００４２】
（駆動方法の第５の例）
次に、この静電アクチュエータの駆動方法の第５の例について簡単に説明する。まず、図２（Ａ）に示す初期状態から、図２（Ｂ）の下図の第２の駆動パターンを印加し、ある程度時間が経過し、図２（Ｃ）に示すように、移動子９が固定子１上を右方向に１．５ピッチ移動した状態とする。そして、この状態において、固定子１の電極に図９（Ａ）の下図に示すようなリセット駆動パターン（０、０、０、０）を印加する。すると、移動子９の抵抗体層の電荷が完全に放電されて消失し、図９（Ｂ）の上図のような電荷分布となる。
【００４３】
次に、充電ステップにおいて、図９（Ｃ）の下図に示すように、例えば、再び、固定子１の電極に図２（Ａ）の下図と同じ第１の駆動パターン（＋、＋、−、−）を印加すると、移動子９の抵抗体層に電極の電荷と逆極性の電荷が充電される。この場合、移動子９の抵抗体層の各電荷充電領域は、図２（Ａ）に示す場合と比較して、０．５ピッチずつずれている。
【００４４】
次に、図９（Ｄ）の下図に示すように、例えば、再び、固定子１の電極に図２（Ｃ）の下図と同じ第２の駆動パターン（−、０、＋、０）を印加すると、垂直上向き矢印で示すように、クーロン反発力により移動子９に固定子１から離れようとする力と、右方向への移動駆動力が働く。したがって、この場合も、移動子９と固定子１との間の摩擦抵抗を軽減することができる。
【００４５】
そして、ある程度の時間が経過して、図９（Ｅ）に示すように、移動子９が固定子１上を右方向に１．５ピッチ移動する。この状態では、移動子９は、図２（Ａ）に示す初期状態から、右方向に３ピッチ移動したことになる。以下のステップの説明は省略する。
【００４６】
（駆動方法の第６の例）
次に、この静電アクチュエータの駆動方法の第６の例について簡単に説明する。ここで、駆動方法の第５の例と異なる点は、図２（Ａ）の下図の第１の駆動パターンと図２（Ｂ）の下図の第２の駆動パターンを入れ替えた点である。まず、図６（Ａ）に示す初期状態から、図６（Ｂ）の下図の第２の駆動パターンを印加し、ある程度時間が経過し、図６（Ｃ）に示すように、移動子９が固定子１上を右方向に１．５ピッチ移動した状態とする。そして、この状態において、固定子１の電極に図１０（Ａ）の下図に示すようなリセット駆動パターン（０、０、０、０）を印加する。すると、移動子９の抵抗体層の電荷が完全に放電されて消失し、図１０（Ｂ）の上図のような電荷分布となる。
【００４７】
次に、充電ステップにおいて、図１０（Ｃ）の下図に示すように、例えば、再び、固定子１の電極に図６（Ａ）の下図と同じ第１の駆動パターン（−、０、＋、０）を印加すると、移動子９の抵抗体層に電極の電荷と逆極性の電荷が充電される。この場合も、移動子９の抵抗体層の各電荷充電領域は、図６（Ａ）に示す場合と比較して、０．５ピッチずつずれている。
【００４８】
次に、図１０（Ｄ）の下図に示すように、例えば、再び、固定子１の電極に図６（Ｃ）の下図と同じ第２の駆動パターン（＋、−、−、＋）を印加すると、垂直上向き矢印で示すように、クーロン反発力により移動子９に固定子１から離れようとする力と、右方向への移動駆動力が働く。したがって、この場合も、移動子９と固定子１との間の摩擦抵抗を軽減することができる。
【００４９】
そして、図１０（Ｅ）に示すように、移動子９が固定子１上を右方向に１．５ピッチ移動する。この状態では、移動子９は、図６（Ａ）に示す初期状態から、右方向に３ピッチ移動したことになる。以下のステップの説明は省略する。
【００５０】
上記駆動方法の第５の例、駆動方法の第６の例の駆動によれば、１．５ピッチずつのステップ駆動を実現することができる。
【００５１】
（その他の駆動方法）
図２（Ａ）において、固定子１の電極に第１の駆動パターンとして、駆動パターン（−、−、＋、＋）を印加するようにしてもよい。この場合、図２（Ｂ）においては、固定子１の電極に第２の駆動パターンとして、駆動パターン（＋、０、−、０）を印加することになる。また、図６（Ａ）において、固定子１の電極に第１の駆動パターンとして、駆動パターン（＋、０、−、０）を印加するようにしてもよい。この場合、図６（Ｂ）においては、固定子１の電極に第２の駆動パターンとして、駆動パターン（−、＋、＋、−）を印加することになる。
【図面の簡単な説明】
【００５２】
【図１】この発明の一実施形態としての静電アクチュエータの概略構成図。
【図２】図１に示す静電アクチュエータの駆動方法の第１の例を説明するために示す図。
【図３】図２に続くステップを説明するために示す図。
【図４】図３に続くステップを説明するために示す図。
【図５】図４に続くステップを説明するために示す図。
【図６】図１に示す静電アクチュエータの駆動方法の第２の例を説明するために示す図。
【図７】図１に示す静電アクチュエータの駆動方法の第３の例を説明するために示す図。
【図８】図１に示す静電アクチュエータの駆動方法の第４の例を説明するために示す図。
【図９】図１に示す静電アクチュエータの駆動方法の第５の例を説明するために示す図。
【図１０】図１に示す静電アクチュエータの駆動方法の第６の例を説明するために示す図。
【符号の説明】
【００５３】
１  固定子
２  ベースフィルム
３  電極
４  保護膜
５〜８  接続端子
９  移動子
１０  ベースフィルム
１１  抵抗体層
【図１】
2007104774.tif 000003
【図２】
2007104774.tif 000004
【図３】
2007104774.tif 000005
【図４】
2007104774.tif 000006
【図５】
2007104774.tif 000007
【図６】
2007104774.tif 000008
【図７】
2007104774.tif 000009
【図８】
2007104774.tif 000010
【図９】
2007104774.tif 000011
【図１０】
2007104774.tif 000012